(57)【要約】      （修正有）【課題】スライドファスナー用スライダーの組立工程を簡単化でき、製造工程全体を簡単化でき、使用利便性を向上できるスライダーを提供する。【解決手段】ストッパー凸部は延伸突起部に接近する。引手１２の一端には把持部が形成され、把持部が形成された一端と相対する引手の他端には貫通口を形成したことによって位置付け部が形成される。引手はスライダー１１の装設面に装設される。スライダーの延伸突起部は引手の貫通口に挿設される。位置付け部はストッパー凸部と延伸突起部との間にある。固定部１３はスライダーの装設面に係止される。これにより、一体成形してなるスライダーの装設面に凸設されたストッパー凸部により引手の位置付け部を延伸突起部とストッパー凸部との間に位置させることによって、位置付け部の移動を制限することができるため、引手を操作する際に引手がスライダーから脱出するのを防ぐことができる。【選択図】図３
0003173217.tif 000002
【実用新案登録請求の範囲】
【請求項１】
装設面を有するスライダーであって、前記装設面に延伸突起部とストッパー凸部が形成されており、前記延伸突起部が前記スライダーの一端にあり、前記ストッパー凸部が前記延伸突起部に接近するように構成されるスライダーと、
前記スライダーの前記装設面に装設される引手であって、前記引手の一端に把持部が形成され、前記把持部が形成された前記一端と相対する前記引手の他端に貫通口を形成したことによって位置付け部が形成されており、前記スライダーの前記延伸突起部が前記引手の前記貫通口に挿設されており、前記位置付け部が前記ストッパー凸部と前記延伸突起部との間にあるように構成される引手と、
基部を有し、前記スライダーの前記装設面に係止されるように構成される固定部と、
を含むことを特徴とするスライドファスナー用スライダー。
【請求項２】
前記スライダーは、収容口と連接部を更に含み、
前記収容口は、前記スライダーを貫通しており、前記スライダーの一端にあり、
前記連接部は、前記収容口に形成された前記スライダーの前記一端と相対する前記スライダーの他端にあることを特徴とする請求項１に記載のスライドファスナー用スライダー。
【請求項３】
前記固定部の前記基部は、その一端が下方へ湾曲延伸してフック部を形成しており、その他端が下方へ湾曲延伸して係止部を形成することを特徴とする請求項２に記載のスライドファスナー用スライダー。
【請求項４】
前記固定部の前記フック部は、前記スライダーの前記収容口に挿設することを特徴とする請求項３に記載のスライドファスナー用スライダー。
【請求項５】
前記固定部の前記係止部は、前記スライダーの前記連接部に係止することを特徴とする請求項３又は４に記載のスライドファスナー用スライダー。
【請求項６】
前記連接部は凹状を呈することを特徴とする請求項２〜４のいずれか１項に記載のスライドファスナー用スライダー。
【請求項７】
前記固定部の前記基部と前記フック部との間には開口を有し、
前記スライダーの前記延伸突起部は、前記固定部の前記開口に挿設されることを特徴とする請求項３に記載のスライドファスナー用スライダー。
【請求項８】
前記スライダーは一体成形してなるものであることを特徴とする請求項１、２、３、４、７のいずれか１項に記載のスライドファスナー用スライダー。
【考案の詳細な説明】
【技術分野】
【０００１】
本考案は、スライドファスナー用スライダーに関し、特に引手の移動を制限するスライドファスナー用スライダーに関するものである。
【背景技術】
【０００２】
服装などによく使用されている基本の連結要素として、例えば、ボタンやスライドファスナーなどがある。ボタンに比べると、スライドファスナーはより好ましい使用利便性及びより丈夫な構造を有する。一般的には、スライドファスナーはスライダーとファスナーテープを有する。スライダーはファスナーテープと共に、スライドファスナーの往復移動可能な連結ユニットとして使用される。現在、スライドファスナーは、服装、服飾品、又はアクセサリーなどにより普及していくものとなる。
【考案の概要】
【考案が解決しようとする課題】
【０００３】
図１は従来のスライドファスナー用スライダーの断面模式図を示す。図１に示すように、スライドファスナー用スライダーは、スライダー１ａ、引手１ｂ、固定部１ｃ及び抜け止め要素１ｄを含む。引手１ｂは、スライダー１ａに設けられる。引手１ｂの位置付け部１１ｂは、延伸突起部１１ａと抜け止め要素１ｄとの間に設けられる。これにより、ユーザーがスライドファスナーを操作すると、引手１ｂの位置付け部１１ｂが延伸突起部１１ａから離れるように固定部１ｃに挿設された抜け止め要素１ｄの方向へ移動することによって、抜け止め要素１ｄで引手１ｂの移動距離を制限する。しかしながら、上述したスライドファスナー用スライダーは、スライドファスナー用スライダーの組立工程が困難になること、製造工程全体が複雑になること、使用利便性が悪いこと、製造コストが高騰してしまうこと、材料の無駄があることなどの欠点がある。
【課題を解決するための手段】
【０００４】
本考案に係るスライドファスナー用スライダーは、スライダー、引手及び固定部を含む。スライダーは装設面を有する。装設面には延伸突起部とストッパー凸部が形成される。延伸突起部はスライダーの一端にある。ストッパー凸部は延伸突起部に接近する。引手の一端には把持部が形成され、把持部が形成された一端と相対する引手の他端には貫通口を形成したことによって位置付け部が形成される。引手はスライダーの装設面に装設される。スライダーの延伸突起部は引手の貫通口に挿設される。位置付け部はストッパー凸部と延伸突起部との間にある。固定部はスライダーの装設面に係止される。
【考案の効果】
【０００５】
本考案に係るスライドファスナー用スライダーによれば、固定部にはスライダーの移動を制限するための抜け止め要素を別途に形成するとこなく、一体成形してなるスライダーの装設面に凸設されたストッパー凸部により引手の位置付け部を延伸突起部とストッパー凸部との間に位置させることによって、位置付け部の移動を制限することができるため、スライドファスナー用スライダーの組立工程を簡単化できること、製造工程全体を簡単化できること、使用利便性を向上できること、材料を節約できること、製造コストを低減できること、環境に優しくなることなどのメリットがある。
【図面の簡単な説明】
【０００６】
【図１】従来のスライドファスナー用スライダーの断面模式図である。
【図２】本考案に係るスライドファスナー用スライダーの取り付け図である。
【図３】本考案に係るスライドファスナー用スライダーの分解図である。
【図４】本考案に係るスライドファスナー用スライダーの平面図である。
【図５】図４におけるＡ−Ａ線の断面模式図である。
【考案を実施するための形態】
【０００７】
本考案の特徴及び技術内容をさらに理解するため、以下本考案に係る詳細な説明及び添付図面を参照することにより、深く且つ具体的な理解を得ることするが、それらの添付図面は参考及び説明のみに使用され、本考案の範囲を狭義的に制限するものではない。
【０００８】
図２と図３を参照して説明する。図２は本考案に係るスライドファスナー用スライダーの取り付け図を示す。図３は本考案に係るスライドファスナー用スライダーの分解図を示す。本考案に係るスライドファスナー用スライダーは、スライダー１１、引手１２及び固定部（例えば、爪体など）１３を含む。スライダー１１は装設面１１４を有する。装設面１１４には延伸突起部１１１とストッパー凸部１１２が形成される。延伸突起部１１１はスライダー１１の一端にある。ストッパー凸部１１２は延伸突起部１１１に接近する。引手１２の一端には把持部１２１が形成され、把持部１２１が形成された一端と相対する引手１２の他端には貫通口１２２を形成したことによって位置付け部１２３が形成される。引手１２はスライダー１１１の装設面１１４に装設される。スライダー１１の延伸突起部１１１は引手１２の貫通口１２２に挿設される。位置付け部１２３はストッパー凸部１１２と延伸突起部１１１との間にある。固定部１３は基部１３１を有する。基部１３１は位置付け部１２３の上方にある。固定部１３はスライダー１１の装設面１１４に係止される。
【０００９】
本実施例において、スライダー１１は収容口１１３と連接部１１５を更に含む。収容口１１３は、スライダー１１を貫通しており、スライダー１１の一端にある。連接部１５は、収容口１１３が形成されたスライダー１１の一端と相対するスライダー１１の他端にある。また、連接部１１５はスライダー１１の上翼部（符号を付けず）と下翼部（符号を付けず）を連接する。
【００１０】
本実施例において、固定部１３の基部１３１は、その一端が下方へ湾曲延伸してフック部１３２を形成しており、その他端が下方へ湾曲延伸して係止部１３３を形成する。また、固定部１３のフック部１３２はスライダー１１の収容口１１３に挿設され、固定部１３の係止部１３３はスライダー１１の連接部１１５に係止される。
【００１１】
本実施例において、スライダー１１の連接部１１５は凹状を呈する。これにより、固定部１３の係止部１３３は連接部１１５の凹状構造に合わせることができるため、固定部１３の係止部１３３をスライダー１１に係止させることができる。
【００１２】
固定部１３の基部１３１とフック部１３２との間には開口１３４を有する。スライダー１１の延伸突起部１１１は固定部１３の開口１３４に挿設される。スライダー１１の延伸突起部１１１は開口１３４の一端を抜け止めするためのものである。引手１２を操作することでファスナーテープのエレメント列（図示せず）を噛合すると、固定部１３のフック部１３２をスライダー１１の収容口１１３から抜け出させないように、スライダー１１の延伸突起部１１１によって開口１３４の一端を抜け止めする。
【００１３】
図２〜図５を参照して説明する。図４は本考案に係るスライドファスナー用スライダーの平面図を示す。図５は図４におけるＡ−Ａ線の断面模式図を示す。本考案に係るスライドファスナー用スライダーを組み立てる工程を説明する。先ず、スライダー１１の装設面１１４に形成された延伸突起部１１１を引手１２の貫通口１２２の内部に挿入することによって、引手１２をスライダー１１の装設面１１４に設置させる。これにより、スライダー１１の延伸突起部１１１を引手１２の貫通口１２２の内部に位置させる。続いて、固定部１３の一端にあるフック部１３２をスライダー１１の収容口１１３に挿設する。ファスナーテープのエレメント列（図示せず）を噛合する際に、開口１３４に挿設された延伸突起部１１１が開口１３４の一端に当接されることによって、固定部１３のフック部１３２をスライダー１１の収容口１１３から脱出するのを防ぐ。続いて、固定部１３の他端にある係止部１３３をスライダー１１の凹状を呈する連接部１１５の凹部に係止する。この状態で、固定部１３の基部１３１をスライダー１１の装設面１１４の方向へ押すと、固定部１３の係止部１３３がスライダー１１の連接部１１５の凹部にしっかりと係止してから、固定部３の基部１３１を押す外力の付与を停止する。これにより、本考案に係るスライドファスナー用スライダーの組立作業が終了する。
【００１４】
続いて、ファスナーテープのエレメント列（図示せず）を分離又は噛合するための方向に本考案に係るスライドファスナー用スライダーをファスナーテープ（図示せず）に沿って摺動操作する場合について説明する。先ず、スライダー１１に対して引手１２の把持部１２１を持ち上げながら、スライダー１１の延伸突起部１１１とストッパー凸部１１２との間にある引手１２の位置付け部１２３がスライダー１１の装設面１１４に当接してその装設面１１４を回動支点として引手１２を弧状軌跡方向に回動させることによって、把持部１２１を連接部１１５の方向に接近させる。また、引手１２を操作することでファスナーテープのエレメント列を噛合すると、引手１２の位置付け部１２３がスライダー１１のストッパー凸部１１２に当接する。ここで注意すべき点は、ストッパー凸部１１２の形状は特に限定がない。また、スライダー１１によってファスナーテープのエレメント列を分離又は噛合させる場合、一体成形してなるスライダー１１はスライダー１１の装設面１１４に凸設されたストッパー凸部１１２によって引手１２の位置付け部１２３がスライダー１１の装設面１１４での移動距離を制限することで、引手１２がスライダー１１から脱出するのを有効に防ぐことができる。
【符号の説明】
【００１５】
１１  スライダー
１１１  延伸突起部
１１２  ストッパー凸部
１１３  収容口
１１４  装設面
１１５  連接部
１２  引手
１２１  把持部
１２３  位置付け部
１３  固定部
１３１  基部
１３２  フック部
１３３  係止部
１３４  開口
１ａ  スライダー
１１ａ  延伸突起部
１ｂ  引手
１１ｂ  位置付け部
１ｃ  固定部
１ｄ  抜け止め要素
【図１】
0003173217.tif 000003
【図２】
0003173217.tif 000004
【図３】
0003173217.tif 000005
【図４】
0003173217.tif 000006
【図５】
0003173217.tif 000007